【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
記録媒体上にドットを記録するための記録ヘッドを前記記録媒体上の画素に対して複数回主走査させ、当該複数回の主走査により前記画素に対する記録を完成させる画像記録方法であって、
注目画素に記録される単一サイズの１つあるいは複数のドットを前記複数回の走査の内どの走査で記録するかを決定するためのパターンを、注目画素に対して割り当てる割り当て工程と、
割り当てられたパターンにより決定される走査にて前記注目画素に対し前記ドットを記録する工程とを有し、
前記割り当て工程では、前記画素の取り得る濃度レベルの各々に対応した複数のパターンの中から、前記注目画素の濃度レベルに応じて１つのパターンを選択し、当該選択した１つのパターンを前記注目画素に対して割り当てることを特徴とする画像記録方法。
【請求項２】
記録媒体上にドットを記録する記録ヘッドを前記記録媒体上に対して複数回走査させ、当該複数回の走査により画素の記録を完成させる画像記録方法であって、
画素の濃度レベルに対応した単一サイズの１つあるいは複数のドットの数と当該ドットが記録される走査とが規定されたパターンを、前記画素に対して割り当てる割り当て工程と、
割り当てられたパターンに従って前記画素に対して前記ドットを記録する工程と
を有することを特徴とする画像記録方法。
【請求項３】
記録媒体上にドットを記録する記録ヘッドを前記記録媒体上に対して複数回走査させ、当該複数回の走査により画素の記録を完成させる画像記録方法であって、
画素に記録される単一サイズの１つあるいは複数のドットを、前記複数回の走査の内どの走査で記録するかを決定するためパターンを、前記画素に対して割り当てる割り当て工程と、
前記画素に割り当てられたパターンに基づいて、前記記録ヘッドの各走査で記録されるドットに対応する記録データを生成する生成工程と、
生成された記録データに基づいて、前記画素に対しドットを記録する工程と
を有することを特徴とする画像記録方法。
【請求項４】
前記画素の濃度レベルの各々について複数のパターンが用意されており、
前記割り当て工程では、前記画素の濃度レベルに対応した複数のパターンのうちから１つのパターンをランダム、予め定められた順序、あるいは画素位置に応じて選択し、当該選択した１つのパターンを前記画素に対し割り当てることを特徴とする請求項１乃至３のいずれか１項に記載の画像記録方法。
【請求項５】
前記複数回の走査は、前記記録ヘッドの往方向への走査と復方向への走査の両方を含み、２ドット以上が記録される画素の濃度レベルに対応したパターンは、記録すべきドットが前記往方向と復方向の両方に振り分けられるよう定められていることを特徴とする請求項１乃至３のいずれか１項に記載の画像記録方法。
【請求項６】
前記複数回の走査は、前記記録ヘッドの往方向への走査と復方向への走査の両方を含み、前記パターンは、記録すべきドットが前記往方向と復方向のいずれか一方に振り分けられるよう定められていることを特徴とする請求項１乃至３のいずれか１項に記載の画像記録方法。
【請求項７】
前記複数のパターンは、往方向の走査で記録される濃度と、復方向の走査で記録される濃度がそれぞれ相等しくなるように定められていることを特徴とすることを特徴とする請求項１に記載の画像記録方法。
【請求項８】
記録媒体上にドットを記録する記録ヘッドを前記記録媒体上に対して複数回走査させ、当該複数回の走査により画素に対する記録を完成させるための記録データを生成するデータ生成方法であって、
画素に記録される単一サイズの１つあるいは複数のドットを前記複数回の主走査の内どの主走査で記録するかを決定するためパターンを、画素に対して割り当てる工程と、
割り当てられたパターンに基づいて、前記記録ヘッドの各走査で記録されるドットに対応する記録データを生成する工程と
を有することを特徴とするデータ生成方法。
【請求項９】
記録媒体上にドットを記録するための記録ヘッドを前記記録媒体上の各画素に対して複数回主走査させ、当該複数回の主走査により前記画素に対する記録を完成させるための記録データを生成するデータ生成方法であって、
前記画素に記録される単一サイズの１つあるいは複数のドットを前記複数回の走査の内どの走査で記録するかを決定するためのパターンを、前記画素に対して割り当てる割り当て工程と、
割り当てられたパターンに基づいて、前記記録ヘッドの各走査で記録されるドットに対応する記録データを生成する工程とを有し、
前記割り当て工程では、前記画素の取り得る濃度レベルの各々に対応した複数のパターンの中から、前記画素の濃度レベルに応じて１つのパターンを選択し、当該選択した１つのパターンを前記画素に対して割り当てることを特徴とするデータ生成方法。
【請求項１０】
記録媒体上にドットを記録する記録ヘッドを前記記録媒体上に対して複数回走査させ、当該複数回の走査により画素の記録を完成させるための記録データを生成するデータ生成方法であって、
画素の濃度レベルに対応した単一サイズの１つあるいは複数のドットの数と当該ドットが記録される走査とが規定されたパターンを、前記画素に対して割り当てる工程と、
割り当てられたパターンに基づいて、前記記録ヘッドの各走査で記録されるドットに対応する記録データを生成する工程と
を有することを特徴とするデータ生成方法。
【請求項１１】
一定回数のヘッドの走査により記録される単一サイズの１又は複数のドットにより１画素を形成するプリンタであって、
画素の濃度値ごとに、前記ドットを記録する走査の順番を示す１または複数のパターンを記憶するメモリと、
注目画素の濃度値に応じて、前記メモリに記憶された１または複数のパターンから１のパターンを選択し、走査毎に記録する２値データを生成する生成部と、
前記２値データに従って、前記ヘッドの走査ごとに前記ヘッドによりドットを記録させる記録手段と
を備えることを特徴とするプリンタ。
【請求項１２】
記録媒体上にドットを記録するための記録ヘッドを前記記録媒体上の各画素に対して複数回主走査させ、当該複数回の主走査により前記画素に対する記録を完成させる画像記録装置であって、
画素の濃度レベルに対応した単一サイズの１つあるいは複数のドットの数と当該ドットが記録される走査とが規定された複数のパターンを記憶したメモリと、
前記メモリに記憶された複数のパターンの中から、注目画素の濃度レベルに対応したパターンを選択し、当該選択されたパターンを前記注目画素に対し割り当る割り当て手段と、
前記割り当てられたパターンで規定される走査にて前記注目画素に対しドットを記録する記録制御手段と
を有することを特徴とする画像記録装置。
【請求項１３】
記録媒体上にドットを記録する記録ヘッドの複数回の走査により前記記録媒体上の画素の記録を完成させるプリンタで使用される記録データを生成するためのコンピュータに、
前記画素に記録される単一サイズの１つあるいは複数のドットを前記複数回の走査の内どの走査で記録するかを決定するためパターンを、前記画素に対して割り当てる割り当て工程と、
割り当てられたパターンに基づいて、前記ヘッドの各走査で記録されるドットに対応した記録データを生成する工程と
を実行させることを特徴とするプログラム。
【請求項１４】
前記割り当て工程は、注目画素の濃度レベルに対応したパターンの中から１つのパターンを選択し、当該選択した１つのパターンを前記注目画素に対し割り当てることを特徴とする請求項１３に記載のプログラム。
【請求項１５】
前記画素の濃度レベルの各々について複数のパターンが用意されており、
前記割り当て工程は、前記注目画素の濃度レベルに応じて、当該注目画素の濃度レベルに対応した複数のパターンのうちから１つのパターンをランダム、予め定められた順序、あるいは画素位置に応じて選択することを特徴とする請求項１３に記載のプログラム。
【請求項１６】
記録媒体上にドットを記録する記録ヘッドの複数回の走査により前記記録媒体上の画素の記録を完成させるプリンタで使用される記録データを生成するためのコンピュータに、
前記画素の濃度レベルに対応した単一サイズの１つあるいは複数のドットの数と当該ドットが記録される走査とが規定されたパターンを、前記画素に対して割り当てる工程と、
割り当てられたパターンに基づいて、前記ヘッドの各走査で記録されるドットに対応した記録データを生成する工程と
を実行させることを特徴とするプログラム。
【手続補正２】
【補正対象書類名】明細書
【補正対象項目名】００１５
【補正方法】変更
【補正の内容】
【００１５】
記録媒体上にドットを記録するための記録ヘッドを前記記録媒体上の画素に対して複数回主走査させ、当該複数回の主走査により前記画素に対する記録を完成させる画像記録方法であって、
注目画素に記録される単一サイズの１つあるいは複数のドットを前記複数回の走査の内どの走査で記録するかを決定するためのパターンを、注目画素に対して割り当てる割り当て工程と、
割り当てられたパターンにより決定される走査にて前記注目画素に対し前記ドットを記録する工程とを有し、
前記割り当て工程では、前記画素の取り得る濃度レベルの各々に対応した複数のパターンの中から、前記注目画素の濃度レベルに応じて１つのパターンを選択し、当該選択した１つのパターンを前記注目画素に対して割り当てる。
【手続補正３】
【補正対象書類名】明細書
【補正対象項目名】００１６
【補正方法】変更
【補正の内容】
【００１６】
あるいは、記録媒体上にドットを記録する記録ヘッドを前記記録媒体上に対して複数回走査させ、当該複数回の走査により画素の記録を完成させる画像記録方法であって、
画素の濃度レベルに対応した単一サイズの１つあるいは複数のドットの数と当該ドットが記録される走査とが規定されたパターンを、前記画素に対して割り当てる割り当て工程と、
割り当てられたパターンに従って前記画素に対して前記ドットを記録する工程とを有する。
【手続補正４】
【補正対象書類名】明細書
【補正対象項目名】００１７
【補正方法】変更
【補正の内容】
【００１７】
あるいは、記録媒体上にドットを記録する記録ヘッドを前記記録媒体上に対して複数回走査させ、当該複数回の走査により画素の記録を完成させる画像記録方法であって、
画素に記録される単一サイズの１つあるいは複数のドットを、前記複数回の走査の内どの走査で記録するかを決定するためパターンを、前記画素に対して割り当てる割り当て工程と、
前記画素に割り当てられたパターンに基づいて、前記記録ヘッドの各走査で記録されるドットに対応する記録データを生成する生成工程と、
生成された記録データに基づいて、前記画素に対しドットを記録する工程とを有する。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
あるいは、記録媒体上にドットを記録する記録ヘッドを前記記録媒体上に対して複数回走査させ、当該複数回の走査により画素に対する記録を完成させるための記録データを生成するデータ生成方法であって、
画素に記録される単一サイズの１つあるいは複数のドットを前記複数回の主走査の内どの主走査で記録するかを決定するためパターンを、画素に対して割り当てる工程と、
割り当てられたパターンに基づいて、前記記録ヘッドの各走査で記録されるドットに対応する記録データを生成する工程とを有する。
【手続補正１０】
【補正対象書類名】明細書
【補正対象項目名】００２３
【補正方法】変更
【補正の内容】
【００２３】
あるいは、記録媒体上にドットを記録するための記録ヘッドを前記記録媒体上の各画素に対して複数回主走査させ、当該複数回の主走査により前記画素に対する記録を完成させるための記録データを生成するデータ生成方法であって、
前記画素に記録される単一サイズの１つあるいは複数のドットを前記複数回の走査の内どの走査で記録するかを決定するためのパターンを、前記画素に対して割り当てる割り当て工程と、
割り当てられたパターンに基づいて、前記記録ヘッドの各走査で記録されるドットに対応する記録データを生成する工程とを有し、
前記割り当て工程では、前記画素の取り得る濃度レベルの各々に対応した複数のパターンの中から、前記画素の濃度レベルに応じて１つのパターンを選択し、当該選択した１つのパターンを前記画素に対して割り当てる。
【手続補正１１】
【補正対象書類名】明細書
【補正対象項目名】００２４
【補正方法】変更
【補正の内容】
【００２４】
あるいは、記録媒体上にドットを記録する記録ヘッドを前記記録媒体上に対して複数回走査させ、当該複数回の走査により画素の記録を完成させるための記録データを生成するデータ生成方法であって、
画素の濃度レベルに対応した単一サイズの１つあるいは複数のドットの数と当該ドットが記録される走査とが規定されたパターンを、前記画素に対して割り当てる工程と、
割り当てられたパターンに基づいて、前記記録ヘッドの各走査で記録されるドットに対応する記録データを生成する工程とを有する。